(57)【特許請求の範囲】
【請求項１】
装置内に紙幣を取り込む取込部と、
前記取込部から取り込まれた前記紙幣を搬送路に沿って搬送する搬送部と、
前記搬送部で搬送される前記紙幣の金種及びシリーズを識別する識別部と、
前記識別部による識別結果に基づいて、前記識別部で識別された前記紙幣を種類別に集積する複数の集積部と、
発行された期間の異なる複数シリーズの紙幣の各々のシリーズに対して新券及び旧券の区分を金種別に設定する新旧区分設定を行う操作部と、
前記操作部で設定された新旧区分設定を保存する記憶部と、
前記識別部によって金種及びシリーズが識別された前記紙幣の新券及び旧券の区分を、前記記憶部に記憶された前記新旧区分設定に基づいて決定して、識別された前記紙幣の金種及び新券・旧券の区分に対応する集積部に、識別された前記紙幣を集積する制御部と
を備え、
前記制御部は、前記操作部によって複数シリーズについて紙幣の新券及び旧券の区分が指定されると、指定された新券及び旧券の順と各シリーズの紙幣の発行順に矛盾が無いことを確認して、矛盾があればこれを報知する
ことを特徴とする紙幣処理装置。
【請求項２】
前記新旧区分設定で、同一金種の第１シリーズ及び第２シリーズを含む複数シリーズの紙幣を新券に区分すると、
前記制御部は、前記新旧区分設定に基づいて、前記識別部で前記第１シリーズに区分された紙幣及び前記第２シリーズに区分された紙幣を含む複数シリーズの紙幣を、新券として、新券に対応する集積部に集積する
ことを特徴とする請求項１に記載の紙幣処理装置。
【請求項３】
前記新旧区分設定では、同一金種の紙幣の新券及び旧券の区分を３つ以上に区分可能であることを特徴とする請求項１又は２に記載の紙幣処理装置。
【請求項４】
前記記憶部には、各集積部に集積する紙幣の金種及び前記紙幣の新券・旧券の区分を設定した集積設定が保存されており、
前記制御部は、前記新旧区分設定に基づいて、前記識別部によって金種及びシリーズが識別された紙幣の新券及び旧券の区分を決定した後、前記集積設定に基づいて、識別された前記紙幣を集積する集積部を決定する
ことを特徴とする請求項１〜３のいずれか１項に記載の紙幣処理装置。
【請求項５】
前記制御部は、前記操作部によって指定された新券及び旧券の順と各シリーズの紙幣の発行順との間に矛盾がない場合にのみ、指定内容を前記新旧区分設定に登録することを特徴とする請求項１〜４のいずれか１項に記載の紙幣処理装置。
【請求項６】
発行された期間が異なる複数の前記シリーズは、発行年の異なる複数のシリーズであることを特徴とする請求項１〜５のいずれか１項に記載の紙幣処理装置。
【請求項７】
前記操作部は、前記新旧区分設定を行うための設定画面を表示し、
前記設定画面には、金種と、当該金種に含まれる各シリーズの情報と、各シリーズの紙幣の新券と旧券の区分を設定するための操作ボタンとが表示される
ことを特徴とする請求項１〜６のいずれか１項に記載の紙幣処理装置。
【発明の詳細な説明】
【技術分野】
【０００１】
この発明は貨幣の種類を識別して処理する貨幣処理装置に関する。
【背景技術】
【０００２】
従来、紙幣や硬貨の金種、真偽、新旧、正損等を識別して処理する貨幣処理装置が利用されている。紙幣の改刷や硬貨の改鋳、新しい紙幣や硬貨の発行が行われて、新しいシリーズの新貨幣が市場で流通するようになった場合でも、旧いシリーズの旧貨幣が流通している間は、貨幣処理装置で新貨幣及び旧貨幣の両方を処理することになる。
【０００３】
特許文献１に記載の貨幣処理装置では、新硬貨が発行されると新硬貨及び旧硬貨を処理対象とするが、所定期間内に処理される旧硬貨の枚数が減少すると処理対象を新硬貨のみに切り替えることができる。また、特許文献２に記載の現金自動取引装置では、複数の収納部について、各収納部に収納する紙幣の金種や発行年代等を設定することができる。
【０００４】
金融機関では、新たに発行された新貨幣の流通を促進するため、貨幣処理装置に新貨幣が入金されると装置内に収納して該新貨幣を出金等に再使用する一方で、貨幣処理装置に旧貨幣が入金されると出金等に再使用せずに回収対象として装置内で保管する。
【先行技術文献】
【特許文献】
【０００５】
【特許文献１】特開２００１−２２９４５４号公報
【特許文献２】特開２０１３−０８８８９６号公報
【発明の概要】
【発明が解決しようとする課題】
【０００６】
しかしながら、上記従来技術によれば、貨幣処理装置における新旧の貨幣に係る設定操作が煩雑になるという問題があった。例えば、市街地にある金融機関では、新貨幣が発行されてすぐに多くの新貨幣が処理されるため、新貨幣のみを再使用して、旧貨幣を回収することができる。これに対して、地方にある金融機関では、新貨幣が発行されても暫くの間は新貨幣の流通量が少なく、再使用する貨幣を新貨幣だけにすると出金用の貨幣が不足する場合がある。このため、金融機関では、新貨幣の流通量に応じて旧貨幣を再使用するか回収するかを決定して貨幣処理装置の設定を変更する必要があった。
【０００７】
特許文献１に係る技術を利用すれば、新貨幣の流通量の増加を検知して旧貨幣の再使用を中止するよう自動的に設定することができるが、例えば、新貨幣の利用が偶然短期間に集中したために旧貨幣の再使用が中止される可能性がある。新貨幣の流通量が不十分な状態で旧貨幣の再使用を中止すると、再使用する貨幣が不足するため、旧貨幣を再使用するように設定を戻す操作が必要になる。また、特許文献２に係る装置を利用すれば、装置の利用者が新貨幣の流通量を判断して、再使用する貨幣用の収納部に新貨幣のみを収納するか旧貨幣も収納するかを設定することができるが、複数収納部のそれぞれに、収納対象とする貨幣の金種を設定して、さらに旧貨幣を収納するか否かを設定する必要があり手間がかかる。
【０００８】
本発明は、上述した従来技術による問題点を解消するためになされたもので、貨幣処理装置の集積部に集積する貨幣の新旧を容易に設定することができる貨幣処理装置を提供することを目的とする。
【課題を解決するための手段】
【０００９】
上述した課題を解決し、目的を達成するため、本発明は、紙幣処理装置であって、装置内に紙幣を取り込む取込部と、前記取込部から取り込まれた前記紙幣を搬送路に沿って搬送する搬送部と、前記搬送部で搬送される前記紙幣の金種及びシリーズを識別する識別部と、前記識別部による識別結果に基づいて、前記識別部で識別された前記紙幣を種類別に集積する複数の集積部と、発行された期間の異なる複数シリーズの紙幣の各々のシリーズに対して新券及び旧券の区分を金種別に設定する新旧区分設定を行う操作部と、前記操作部で設定された新旧区分設定を保存する記憶部と、前記識別部によって金種及びシリーズが識別された前記紙幣の新券及び旧券の区分を、前記記憶部に記憶された前記新旧区分設定に基づいて決定して、識別された前記紙幣の金種及び新券・旧券の区分に対応する集積部に、識別された前記紙幣を集積する制御部とを備え、前記制御部は、前記操作部によって複数シリーズについて紙幣の新券及び旧券の区分が指定されると、指定された新券及び旧券の順と各シリーズの紙幣の発行順に矛盾が無いことを確認して、矛盾があればこれを報知することを特徴とする。
【００１０】
また、本発明は、上記発明において、前記新旧区分設定で、同一金種の第１シリーズ及び第２シリーズを含む複数シリーズの紙幣を新券に区分すると、前記制御部は、前記新旧区分設定に基づいて、前記識別部で前記第１シリーズに区分された紙幣及び前記第２シリーズに区分された紙幣を含む複数シリーズの紙幣を、新券として、新券に対応する集積部に集積することを特徴とする。
【００１１】
また、本発明は、上記発明において、前記新旧区分設定では、同一金種の紙幣の新券及び旧券の区分を３つ以上に区分可能であることを特徴とする。
【００１２】
また、本発明は、上記発明において、前記記憶部には、各集積部に集積する紙幣の金種及び前記紙幣の新券・旧券の区分を設定した集積設定が保存されており、前記制御部は、前記新旧区分設定に基づいて、前記識別部によって金種及びシリーズが識別された紙幣の新券及び旧券の区分を決定した後、前記集積設定に基づいて、識別された前記紙幣を集積する集積部を決定することを特徴とする。
【００１４】
また、本発明は、上記発明において、前記制御部は、前記操作部によって指定された新券及び旧券の順と各シリーズの紙幣の発行順との間に矛盾がない場合にのみ、指定内容を前記新旧区分設定に登録することを特徴とする
また、本発明は、上記発明において、発行された期間が異なる複数の前記シリーズは、発行年の異なる複数のシリーズであることを特徴とする。
また、本発明は、上記発明において、前記操作部は、前記新旧区分設定を行うための設定画面を表示し、前記設定画面には、金種と、当該金種に含まれる各シリーズの情報と、各シリーズの紙幣の新券と旧券の区分を設定するための操作ボタンとが表示されることを特徴とする。
【発明の効果】
【００１５】
本発明によれば、同一金種の複数シリーズの貨幣に対して新旧の区分を設定した新旧区分設定を利用することができるので、各金種の貨幣について、どのシリーズを新貨幣とするのかを容易に設定することができる。例えば、新シリーズの貨幣の流通量が十分ではない場合には、新旧区分設定で、新シリーズの貨幣及び旧シリーズの貨幣を新貨幣として取り扱うように指定すれば、貨幣処理装置では、新シリーズの貨幣及び旧シリーズの貨幣の両方を、新貨幣として処理して、同じ集積部に集積することができる。また、新シリーズの貨幣のみを新貨幣としたい場合には、新旧区分設定で新旧の区分を変更するだけでよいので設定変更の操作を容易に行うことができる。
【００１６】
また、本発明によれば、新旧区分設定で、新旧の区分を金種別に指定することが可能であり、複数シリーズの貨幣を新貨幣として取り扱うように設定することもできる。これにより、例えば、新シリーズの貨幣が発行された後、流通量が少ない金種の貨幣については新シリーズの貨幣及び旧シリーズの貨幣の両方を新貨幣として処理して、流通量が多い金種の貨幣については新シリーズの貨幣のみを新貨幣として処理するように設定することができる。
【図面の簡単な説明】
【００１７】
【図１】図１は、本実施形態に係る紙幣処理装置の外観を示す斜視図である。
【図２】図２は、紙幣処理装置の内部構成概略を示す断面模式図である。
【図３】図３は、紙幣処理装置の機能構成概略を示すブロック図である。
【図４】図４は、日本紙幣の各金種のシリーズを示す図である。
【図５】図５は、新旧区分設定の具体例を示す図である。
【図６】図６は、新旧区分の設定時に表示部に表示される画面例を示す図である。
【図７】図７は、集積設定の具体例を示す図である。
【発明を実施するための形態】
【００１８】
以下に、添付図面を参照して、本発明に係る貨幣処理装置について詳細に説明する。貨幣処理装置では硬貨及び紙幣を処理することができるが、硬貨に係る処理は紙幣に係る処理と同様であるため、本実施形態では、紙幣処理装置で紙幣を処理する場合を例に説明する。また、貨幣処理装置では様々な国の通貨を処理することができるが、以下では日本の紙幣を例に説明する。
【００１９】
図１は、本実施形態に係る紙幣処理装置１の外観を示す斜視図である。また、図２は、紙幣処理装置１の内部構成概略を示す断面模式図である。紙幣処理装置１は、複数の紙幣を載置可能な受入部１１と、受入部１１に受けた複数紙幣を１枚ずつ装置内へ取り込む取込部１０とを有する。装置前面には、設定操作や指示操作等を行う際に各種情報を入力するための操作部５１と、設定情報や処理結果等を確認する際に各種情報が表示される表示部５２とが設けられている。
【００２０】
図２に示すように、紙幣処理装置１の内部には、取込部１０で装置内に取り込んだ紙幣を搬送路に沿って搬送する搬送部７０と、搬送部７０によって搬送される紙幣を識別計数する識別部５５とが設けられている。
【００２１】
識別部５５は、搬送部７０によって搬送される紙幣の金種、新旧、方向、真偽、正損等を識別して計数する機能を有する。方向とは、紙幣の面（表裏）及び紙幣の向き（天地）を示す情報である。真偽とは、紙幣が真の紙幣（真券）であるか、偽の紙幣（偽券）であるかを示す情報である。正損とは、予め定められた所定条件に基づいて紙幣の傷み具合を判定した情報で、例えば市場で再使用する紙幣を正券、市場での再使用に適さない紙幣を損券とする。金種及び新旧の具体例については後述する。
【００２２】
紙幣処理装置１には、２つのリジェクト部６５（６５ａ、６５ｂ）が設けられている。識別部５５による識別結果に基づいて、識別できない識別不能券、集積部６０（６０ａ〜６０ｄ）に集積する種類として指定されていない種類の紙幣である指定外券、明らかに偽の紙幣である偽券、偽券の疑いがあるが真偽を確定できないサスペクト券等がリジェクトされるが、これらのリジェクト紙幣を、第１リジェクト部６５ａ及び第２リジェクト部６５ｂにリジェクト原因別に分けて集積することができる。
【００２３】
紙幣処理装置１には４つの集積部６０ａ〜６０ｄが設けられている。識別部５５による識別結果に基づいて、指定外券等のリジェクト紙幣がリジェクト部６５に集積される一方で、集積部６０に集積するよう指定されている種類の紙幣は、指定券として各集積部６０ａ〜６０ｄに種類別に分類して集積される。各集積部６０ａ〜６０ｄに集積する紙幣の種類は、予め集積設定として設定することができる。
【００２４】
図１に示すように、集積部６０は、前面に開口を有しており、紙幣処理装置１を利用する利用者は、集積部６０に集積された紙幣を開口から抜き取ることができる。また、装置前面には、第１集積部６０ａ〜第４集積部６０ｄのそれぞれに対応して、集積紙幣に関する情報を表示するための個別表示部６２（６２ａ〜６２ｄ）が設けられており、各集積部６０に集積されている紙幣の種類を認識できるようになっている。
【００２５】
また、図２に示すように、第１集積部６０ａ〜第４集積部６０ｄには、内部に集積された紙幣の有無を検知するためのセンサ７３が設けられており、紙幣の抜き取りを検知できるようになっている。同様に、受入部１１では、センサ７２によって、紙幣が載置されたことや、全ての紙幣が装置内に繰り出されたことを検知することができる。また、図２には示していないが、リジェクト部６５にも紙幣の有無を検知するセンサが設けられており、リジェクト紙幣が集積されたことや、リジェクト紙幣が抜き取られたことを検知できるようになっている。
【００２６】
図２に示すように、搬送部７０には、紙幣を分岐するための複数の分岐部材７１が設けられている。また、搬送部７０には、紙幣を検知するための複数のセンサ７２が設けられている。識別部５５が紙幣を識別した後、識別結果に基づいて、制御部５０が４つの集積部６０ａ〜６０ｄ及び２つのリジェクト部６５ａ、６５ｂの中から、紙幣を搬送して集積する集積先を決定する。そして、制御部５０が、センサ７２によって紙幣の搬送位置を検出しながら分岐部材７１による分岐動作を制御することにより、決定した集積先へ各紙幣を搬送して集積する。
【００２７】
図３は、紙幣処理装置１の機能構成概略を示すブロック図である。図３に示すように、紙幣処理装置１は、上述した構成に加えて、以下に説明する機能及び動作を実現するために各部を制御する制御部５０と、制御部５０の動作に必要なプログラムや設定等の各種データを保存するための記憶部５６と、上位端末やサーバ等の外部装置と通信するための通信部７４とを有している。
【００２８】
次に、紙幣処理装置１の動作について説明する。図４は、日本紙幣の各金種のシリーズを示す図である。ここで、シリーズとは、改刷等によって、ある期間に発行された各金種の紙幣と、新たに追加された金種の紙幣とを言う。具体的には、例えば、Ｅシリーズの紙幣には、２００４年に発行された一万円券、五千円券及び千円券が含まれる。また、Ｄシリーズの紙幣には、１９８４年に発行された一万円券、五千円券及び千円券と、２０００年に発行された二千円券とが含まれる。また、Ｃシリーズの紙幣には、１９５８年に発行された一万円券と、１９５７年に発行された五千円券と、１９６３年に発行された千円券とが含まれる。
【００２９】
図４に示すように、一万円券及び五千円券については、Ｃ券、Ｄ券及びＥ券の３シリーズの紙幣がある。また、千円券についてはＢ券〜Ｅ券の４シリーズの紙幣があり、二千円券はＤ券の１シリーズのみとなっている。従来の貨幣処理装置では、通常、一万円券、五千円券及び千円券のＥ券と、二千円券のＤ券とを新券として、一万円券のＣ券及びＤ券と、五千円券のＣ券及びＤ券と、千円券のＢ券〜Ｄ券とを旧券として処理していた。すなわち、各金種の複数シリーズの紙幣のうち最新シリーズの紙幣のみを新券として、その他のシリーズの紙幣は全て旧券としていた。
【００３０】
これに対して、紙幣処理装置１では、新券及び旧券の区分を自由に変更できるようになっている。具体的には、紙幣処理装置１では、発行年の異なる複数シリーズの紙幣について新旧の区分を金種別に設定した新旧区分設定を利用することができる。識別部５５によって各紙幣のシリーズが識別されると、制御部５０は、新旧区分設定を参照して、識別結果に基づいて各紙幣の新旧を決定する。
【００３１】
図５は、新旧区分設定の具体例を示す図である。新旧区分設定では、図５（ａ）に示すように、紙幣を新券と旧券とに区分して、新券とするシリーズ及び旧券とするシリーズを金種別に指定することができる。また、図５（ｂ）に示すように、新券、旧券及び旧旧券に区分して、新券とするシリーズ、旧券とするシリーズ、旧券よりさらに旧い旧旧券とするシリーズを、金種別に指定することもできる。
【００３２】
例えば、識別部５５により、一万円券のＤ券であるとの識別結果が得られた場合に、新旧区分設定が図５（ａ）に示すように設定されていれば、制御部５０は、この紙幣を、一万円券の新券とする。一方、新旧区分設定が図５（ｂ）に示すように設定されていれば、制御部５０は、この紙幣を、一万円券の旧券とする。
【００３３】
また、図５（ａ）に示す新旧区分設定では、識別部５５により、一万円券のＥ券であるとの識別結果が得られた場合にも、制御部５０は、この紙幣を一万円券の新券とする。すなわち、図５（ａ）に示す新旧区分設定では、Ｄ券及びＥ券の２つの異なるシリーズの一万円券が共に新券とされる。
【００３４】
このように、紙幣処理装置１では、新旧区分設定を利用することによって、同じシリーズの紙幣を、新券として処理することもできるし、旧券として処理することもできる。また、複数シリーズの紙幣を、新券として処理することもできる。また、同じシリーズの金種を、ある金種では新券として処理し、ある金種では旧券として処理することもできる。また、ある金種では新券と旧券とに区分して、ある金種では新券と旧旧券に区分する等、金種毎に、新旧の区分を自由に設定することができる。
【００３５】
新旧区分設定における設定操作は、操作部５１及び表示部５２を利用して行う。なお、図１では、操作部５１と表示部５２とが別々に設けられた態様を示したが、紙幣処理装置１の構成がこれに限定されるものではなく、例えば、紙幣処理装置１が、操作部５１及び表示部５２を兼ねるタッチパネル式の液晶表示部を備える態様であっても構わない。
【００３６】
図６は、新旧区分の設定時に表示部５２に表示される画面例を示す図である。新旧の区分を設定する際には、入金処理や出金処理等の紙幣処理を実行するメインメニュー画面で所定のボタンを操作して、図６に示す新旧区分設定の設定画面を呼び出す。新旧区分設定の設定画面には、図６に示すように、金種と、この金種に含まれる各シリーズの情報と、操作ボタンとが表示される。
【００３７】
画面右側にある矩形で囲まれた部分が、各シリーズの紙幣の新旧区分を設定するためのボタンとなっており、操作部５１を操作して各ボタンを選択することにより、新券、旧券及び旧旧券の中から新旧の区分を指定できるようになっている。図６は、図５（ｂ）に示す新旧区分設定の千円券に係る設定画面を示しており、この画面上では、千円券のＥ券を新券、Ｄ券を旧券、Ｃ券及びＢ券を旧旧券とするよう指定されている。
【００３８】
例えば、操作部５１に含まれる矢印キーを押して、表示部５２上で新旧区分のボタンを選択した後、操作部５１に含まれる新旧区分切替キーを押して、表示部５２上で新旧の区分を切り替える。なお、操作部５１及び表示部５２がタッチパネル式の液晶表示部から成る場合には、液晶表示部に表示された新旧区分のボタンにタッチする度に新券、旧券、旧旧券というように新旧の区分が切り替わるようにしてもよいし、新旧区分のボタンをタッチすると新旧の区分が一覧表示され、この一覧表示された区分の中から新旧の区分を選択するようにしてもよい。
【００３９】
また、画面下部にある長円で囲まれた部分は命令ボタンを示している。メニューボタンを押すと紙幣処理のメインメニュー画面に戻る。また、前金種ボタン又は次金種ボタンを押すと画面上に表示する紙幣の金種を変更することができる。前金種ボタン又は次金種ボタンを操作して、一万円券、五千円券、二千円券、千円券の順に金種を変更すると、画面上には、図４に示す各金種のシリーズに関する情報が表示されるので、この情報を確認しながら、各金種のシリーズ毎に、新旧の区分を設定することができる。
【００４０】
各金種のシリーズに係る情報を画面上に表示して新旧区分を指定した後、画面上に表示された登録ボタンを押すことにより、設定内容を新旧区分設定に登録して、記憶部５６に保存することができる。このとき、制御部５０は、画面上で行われた指定内容に矛盾がないか確認する。具体的には、制御部５０は、指定された新旧の順と、各シリーズの貨幣の発行年の順との間に矛盾がないことを確認して、矛盾があればこれを報知する。例えば、図６に示す画面で、Ｄ券を新券と指定しながら、Ｄ券より後に発行されたＥ券を旧券又は旧旧券と指定すると、新旧の区分とシリーズの発行年との間で順序が矛盾するため、制御部５０は、矛盾を正すよう示す情報を表示部５２の画面上に表示して、これを報知する。また、制御部５０は、指定された新旧の区分とシリーズの発行年とが矛盾する場合には、登録ボタンが押されても、指定内容を新旧区分設定に登録しないように操作を制御する。言い換えれば、制御部５０は、操作部５１によって指定された新旧の順と各シリーズの貨幣の発行順との間に矛盾がない場合にのみ、指定内容を新旧区分設定に登録する。
【００４１】
なお、紙幣処理装置１では、利用者が、新旧区分の指定内容に係る矛盾を承知した上で登録を望む場合には、登録操作を受け付けるように制御部５０を動作させることも可能となっている。具体的には、指定内容が矛盾する場合でも登録操作を受け付けるように設定すると、新旧の区分とシリーズの発行年とが矛盾する状態で登録ボタンが押された場合に、制御部５０は、表示部５２の画面上に、矛盾を報知する情報と共に、矛盾を含んだまま指定内容を新旧区分設定に登録するか否かを問う情報を表示する。そして、画面上の情報を確認した利用者が、登録を指示する操作を行うと、制御部５０は、指定内容に矛盾があっても、これを新旧区分設定に登録して記憶部５６に保存する。
【００４２】
例えば、利用者が、特定のシリーズの紙幣を回収するために、この特定のシリーズの紙幣を、回収対象である旧券と指定すると、新旧の区分とシリーズの発行年とが矛盾してしまう場合がある。このような場合でも、指定内容に矛盾があることを確認した利用者が、再度、登録操作を行った場合には、この登録操作を受け付けるように設定するものである。
【００４３】
また、図６に示す画面例では、各シリーズの紙幣に係る情報として発行年を示す情報を表示する態様を示しているが、画面上に表示する情報は、設定により変更可能となっている。具体的には、発行年に代えて又は加えて、各シリーズの紙幣の画像を表示することができる。また、新旧区分の指定について、図６に示す画面例では、新券、旧券及び旧旧券の３つに区分する例を示したが、新旧の区分の数についても、設定により変更可能となっている。具体的には、新券及び旧券の２つに区分するように設定することもできるし、例えば、新券、旧券１、旧券２、旧券３というように４つ以上に区分するよう設定することもできる。
【００４４】
紙幣処理装置１の記憶部５６には、新旧区分設定の他に、集積部６０及びリジェクト部６５に集積する紙幣の種類を設定した集積設定が保存されている。図７は、集積設定の具体例を示す図である。図７に示すように、集積設定には、複数の集積パターンを設定することができる。
【００４５】
操作部５１及び表示部５２を利用して、集積設定に保存されている既存の集積パターンの設定内容を変更したり、集積パターンの削除や追加を行ったりすることができる。また、集積パターンを選択することにより、選択された集積パターンに基づいて、集積部６０及びリジェクト部６５に所定の種類の紙幣を集積させることができる。
【００４６】
図７に示す集積パターン１は、第１集積部６０ａに一万円券新券、第２集積部６０ｂに五千円券新券、第３集積部６０ｃ及び第４集積部６０ｄに千円券新券を集積すると共に、第１リジェクト部６５ａには指定外券、第２リジェクト部６５ｂには偽券、識別不能券、サスペクト券をリジェクトする集積設定を示している。なお、指定外券とは、金種及び真偽を識別できた、第１集積部６０ａ〜第４集積部６０ｄに集積されない真の紙幣であり、集積パターン１の例では、一万円券の旧券、五千円券の旧券及び千円券の旧券と、二千円券とは、指定外券として、第１リジェクト部６５ａにリジェクトされる。
【００４７】
このように、集積設定で、集積部６０に集積する紙幣の新旧を指定すると、識別部５５で紙幣の金種及びシリーズが識別された後、制御部５０が、新旧区分設定に基づいて紙幣の新旧を決定して、集積設定に基づいて紙幣の金種及び新旧に対応する集積部を、この紙幣の集積先とする。
【００４８】
具体的には、集積設定として図７に示す集積パターン１を選択すると共に、新旧区分設定を図５（ａ）に示すように設定して紙幣処理を開始する。識別部５５によって、一万円券のＤ券と識別された紙幣及び一万円券のＥ券と識別された紙幣は、制御部５０によって、図５（ａ）に示す新旧区分設定に基づいて新券と判定され、図７に示す集積パターン１の集積設定に基づいて第１集積部６０ａに集積される。一方、一万円券のＣ券と識別された紙幣は、新旧区分設定に基づいて旧券と判定され、集積設定に基づいて第１リジェクト部６５ａにリジェクトされる。
【００４９】
五千円券については、一万円券と同様に、図５（ａ）に示す新旧区分設定及び図７に示す集積パターン１の集積設定に基づき、Ｄ券及びＥ券は新券と判定されて第２集積部６０ｂに集積され、Ｃ券は旧券と判定されて第１リジェクト部６５ａにリジェクトされる。また、千円券については、Ｅ券のみが新券と判定されて、第３集積部６０ｃ又は第４集積部６０ｄに集積される。また、千円券のＢ券〜Ｄ券は、旧券と判定されて第１リジェクト部６５ａにリジェクトされる。また、二千円券は、新券と判定されて、第１リジェクト部６５ａにリジェクトされる。
【００５０】
図７に示す集積パターン１を選択すると共に、新旧区分設定を図５（ａ）に示すように設定した場合には、一万円券のＤ券は新券と判定されて第１集積部６０ａに集積されるが、集積パターン１のままで、新旧区分設定を図５（ｂ）に示すように設定すると一万円券のＤ券は旧券と判定されて第１リジェクト部６５ａにリジェクトされるようになる。
【００５１】
このように、紙幣処理装置１では、第１集積部６０ａに一万円券の新券を集積するよう設定したまま集積設定の設定変更は行わず、新旧区分設定で新券とするシリーズを設定変更することにより、第１集積部６０ａに新券として集積する紙幣のシリーズを変更することができる。
【００５２】
図７に示す集積パターン２は、第１集積部６０ａ及び第２集積部６０ｂに千円券新券、第３集積部６０ｃに千円券旧券、第４集積部６０ｄに千円券旧旧券を集積すると共に、第１リジェクト部６５ａには指定外券、第２リジェクト部６５ｂには偽券、識別不能券、サスペクト券をリジェクトする集積設定を示している。集積パターン２の例では、一万円券、五千円券、及び二千円券は新旧の区分によらず指定外券として第１リジェクト部６５ａにリジェクトされる。
【００５３】
集積設定として集積パターン２を選択すると共に、新旧区分設定を図５（ｂ）に示すように設定して紙幣処理を開始すると、識別部５５によって千円券のＥ券と識別された紙幣は、制御部５０によって新券と判定され、第１集積部６０ａ又は第２集積部６０ｂに集積される。また、千円券のＤ券と識別された紙幣は旧券と判定されて第３集積部６０ｃに集積され、千円券のＢ券と識別された紙幣及び千円券のＣ券と識別された紙幣は、旧旧券と判定されて、第４集積部６０ｄに集積される。
【００５４】
このように、紙幣処理装置１では、１つの金種の紙幣を新旧に関して３つ以上に区分して、集積設定では、新旧の区分毎に集積先を設定することができる。新旧の区分は新旧区分設定で指定して、集積設定では新旧を指定するだけでよいため、各集積部６０に集積する紙幣の新旧の区分を容易に設定することができる。
【００５５】
上述してきたように、本実施形態に係る紙幣処理装置１によれば、新旧区分設定を利用して、例えば、新シリーズの紙幣及び旧シリーズの紙幣の両方を、新券として取り扱うように設定することができる。これにより、紙幣処理装置１の集積設定では、集積部６０に集積する紙幣を新券と指定しながら、この集積部６０に、新シリーズの紙幣及び旧シリーズの紙幣の両方を集積することができる。そして、紙幣処理装置１の集積設定を変更することなく、新旧区分設定を変更して新券の区分から旧シリーズの紙幣を除くだけで、新シリーズの紙幣及び旧シリーズの紙幣を集積していた集積部６０に、新シリーズの紙幣のみを集積できるようになる。
【００５６】
例えば、新シリーズの紙幣の流通量が少ない間は、再使用する紙幣を集積する集積部６０に、新シリーズの紙幣及び旧シリーズの紙幣の両方を集積して、新シリーズの紙幣の流通量が増えたところで、同じ集積部６０に集積する紙幣を新シリーズの紙幣のみに変更する場合に、集積部６０の集積設定は新券としたまま、新旧区分設定で新券として取り扱う紙幣のシリーズを変更するだけで、これを実現することができる。
【００５７】
複数の集積部６０に紙幣を金種別に集積する場合でも、各集積部６０に集積する紙幣の金種及び新旧のみを指定しておいて、新旧区分設定で、新券として処理する紙幣のシリーズを金種別に指定することができる。このとき、新旧区分設定では、この金種の紙幣は、旧シリーズとなった紙幣も新券と同様に扱わなければ再使用する紙幣が不足するのか、新シリーズの紙幣のみで再使用する紙幣を賄えるのかという観点から新旧を区分する境界を検討して設定すればよい。これにより、集積設定で、多数の集積部６０のそれぞれに新シリーズの紙幣を金種別に集積するように設定して、さらに各金種が割り当てられた集積部６０について旧シリーズの紙幣を集積すべきか否かを検討して設定する場合に比べて、検討や設定操作を容易に行うことができる。
【産業上の利用可能性】
【００５８】
以上のように、本発明に係る貨幣処理装置は、集積部に集積する貨幣の新旧を容易に設定するために有用である。
【符号の説明】
【００５９】
１  紙幣処理装置
１０  取込部
１１  受入部
５０  制御部
５１  操作部
５２  表示部
５５  識別部
５６  記憶部
６０、６０ａ〜６０ｄ  集積部
６２、６２ａ〜６２ｄ  個別表示部
６５、６５ａ、６５ｂ  リジェクト部
７０  搬送部
７１  分岐部材
７２、７３  センサ
７４  通信部
【図１】
0006653142.tif 000002
【図２】
0006653142.tif 000003
【図３】
0006653142.tif 000004
【図４】
0006653142.tif 000005
【図５】
0006653142.tif 000006
【図６】
0006653142.tif 000007
【図７】
0006653142.tif 000008